(57)【要約】【課題】  各種室外機の室外コイルの幅寸法に対し、ノズルの噴霧角度を変更可能とすることにより、各種サイズの室外機へのり順応性を向上上した室外機の補助冷却装置を提供すること。【解決手段】  本発明に係る室外機の補助冷却装置は、室外コイル５の外気取入口１ａに水を噴霧するノズル４と、ノズル４へ噴霧水を供給する水系統機器及びノズル４への噴霧水量を制御する制御装置２０を収納した制御部２と、制御部２に一端が接続された、ノズル４へ噴霧水を供給する給水管３と、給水管３の先端に接続された、ノズル４を取り付けたノズル接手６と、室外コイル５の外気取入面に対するノズル４の噴霧角度Ｘｂを調整可能とするように、ノズル接手６を支持する支持装置７とを備えている。【選択図】      図１
2006162152.tif 000002
【特許請求の範囲】
【請求項１】
室外コイルの外気取入口に水を噴霧するノズルと、ノズルへ噴霧水を供給する水系統機器及びノズルへの噴霧水量を制御する制御装置を収納した制御部と、制御部に一端が接続された、ノズルへ噴霧水を供給する給水管と、給水管の先端に接続された、ノズルを取り付けたノズル接手と、室外コイルの外気取入面に対するノズルの噴霧角度を調整可能とするように、ノズル接手の傾斜角度を調整可能に支持する支持装置とを備えていることを特徴とする室外機の補助冷却装置。
【請求項２】
前記ノズル接手は、一端部にノズル接続口を有し、他端部に軸孔を備えた軸受部を有し、
前記支持装置は、室外機の外板への取付面を形成した取付座と、ノズル接手の前記軸受部を挟持するように取付座から起立して形成された一対の板状挟持部と、ノズル接手の軸受部を板状挟持部で挟持した状態において軸孔と同心となるように、一対の板状挟持部にそれぞれ設けられた軸支持孔と、軸孔及び軸支持孔にボルトを挿入してナットで締め付けることにより、ノズル接手を所望の傾斜角度で一対の板状挟持部間に固定する固定具とを備えてなることを特徴とする請求項１記載の室外機の補助冷却装置。
【請求項３】
前記支持装置は、取付座に、ボルトの軸方向に直交する方向に当該支持装置を室外機の外板に取り付けるための複数の取付用孔が整列して配置されていることを特徴とする請求項２記載の室外機の補助冷却装置。
【請求項４】
前記ノズル接手の前記軸受部は、前記一対の板状挟持部に当接する面が平面に形成されていることを特徴とする請求項２又は３記載の室外機の補助冷却装置。
【請求項５】
前記支持装置は、板金折り曲げ加工により形成されたものであって、取付座の両端部を直角に折り曲げることにより前記一対の板状挟持部が形成されていることを特徴とする請求項２〜４の何れか１項に記載の室外機の補助冷却装置。
【請求項６】
前記一対の板状挟持部は、軸支持孔が前記取付座の一端部の略垂直方向に位置するように形成されていることを特徴とする請求項２〜５の何れか１項に記載の室外機の補助冷却装置。
【請求項７】
前記ノズルは、一端部にノズル接手に接続される管接手部を有するとともに、この管接手部から離れた位置に管接手部の接手方向と直交する方向に噴霧口を有し、
前記ノズル接手は、前記軸受部とノズル接続口との間において、前記軸受部の軸孔に平行に給水管接続用接手が設けられていることを特徴とする請求項２〜６の何れか１項に記載の室外機の補助冷却装置。
【請求項８】
前記ノズルは、扁平状に水を拡散させて噴霧するノズル機構を備えていることを特徴とする請求項７記載の室外機の補助冷却装置。
【請求項９】
前記ノズル接手及び前記支持装置は、ノズル接手を所望の傾斜角度で一対の板状挟持部間に固定する際に、噴霧口が取付座の方向に向くように或いは反対方向に向くように選択的に取り付けできるように構成されていることを特徴とする請求項７又は８記載の室外機の補助冷却装置。
【請求項１０】
前記制御部は、水系統機器として減圧弁を備えていることを特徴とする請求項１〜９の何れか１項に記載の室外機の補助冷却装置。
【発明の詳細な説明】
【技術分野】
【０００１】
本発明は、空気調和機、冷凍装置等の室外機の補助冷却装置に関する。ここでいう室外機の補助冷却装置は、室外コイルが搭載された空気調和機の室外機に後付け可能に形成されたものであって、室外コイルの放熱能力を増大させる必要のあるときに、室外コイルの熱交換表面に水を噴霧するものである。例えば、室外コイルの放熱能力が不足する外気高温時などに、補助冷却装置を使用して室外コイルの熱交換表面に水を噴霧すると、噴霧された水の蒸発潜熱により室外コイルが冷却されるので、室外コイルの放熱能力を向上させることができる。室外機の補助冷却装置は、このような装置であるので特定機種の室外機に限定して使用されるのではなく、各種サイズの室外機に適用される。
【背景技術】
【０００２】
上記の補助冷却装置としては、従来、以下に記載するような２種類の方式の装置が主に使用されている。そのうちの一つの方式は、特許文献１に記載された装置である。この装置は、室外機の外気取入口前方にノズル支持部材が取り付けられ、室外コイルの外気取入面から所定距離離れた位置であって、室外機の高さ方向の中央部となる位置に、室外コイルに向けて水を噴霧するノズルが取り付けられている。この方式では、室外機の外気取入口の前方に、ある程度の大きさのスペースを必要とする。このため、使用場所に制約を受ける。
【０００３】
第２の方式のものは、第１の方式のもののように室外機の外気取入口の前面に大きなスペースを必要としないものであって、室外機の外気取入口の上方位置から室外コイルに向けて下方斜め方向に水を噴霧するものである。このような方式のものは例えば非特許文献１により知られている。
【０００４】
本発明は、上記第２の方式の室外機の補助冷却装置に関するものである。そこで、この第２の方式の室外機の補助冷却装置について、図１５乃至図１９に基づきより具体的に説明する。なお、図１５は従来第２方式の室外機の補助冷却装置を取り付けた室外機の斜視図であり、図１６は同室外機の側面図であり、図１７は同補助冷却装置に用いられているノズルによる噴霧状態を説明する断面図であり、図１８は同補助冷却装置に用いられているノズルの先端側から見た噴霧幅説明図であり、図１９は同補助冷却装置に用いられている制御部の構成図である。
【０００５】
図１５及び図１６に示すように、当該第２の方式の従来装置は、室外機１の天板上に取り付けられる制御部２を有し、この制御部２に接続される銅管からなる給水管３の先端にノズル４がロー付け溶接により直接取り付けられている。このため給水管３は予め定められた形状にするとともにノズル４を取り付けた状態にセットして出荷されている。
【０００６】
制御部２は、図１５に示すように、略長方形状のボックス１１の側面に水道管を接続する水道管接手１２と、ノズル４を先端に取り付けた銅管からなる給水管３を接続するための給水管接手１３が取り付けられている。また、制御部２のボックス１１内には、図１９に示すように、水道管接手１２と給水管接手１３との間にストレーナ１４及び電磁開閉弁１５の水系統機器と、電磁開閉弁１５の開閉時間を制御する制御装置２０とが収納されている。電磁開閉弁１５は噴霧時間を制御するための制御弁である。そして、電磁開閉弁１５により噴霧時間を制御することで、室外コイル５への噴霧水量が制御されている。例えば、室外コイル５の高さが大きくなるほど噴霧水が下方に落下するまでの噴霧水の蒸発量が大きくなるので、室外コイル５の高さ寸法が大きくなるほど噴霧水量が多くなるように制御されている。
【０００７】
前述の給水管３は、図１６に示すように、給水管接手１３から直線状に室外機１の天板に沿って室外機１の外気取入口１ａに延設され、その先端部が下方斜め方向に曲げられた形状に形成されている。そして、曲げられた給水管３の先端に取り付けられるノズル４は、図１７に概略構造が示されるように、管接手部４ａを一端に備え、この管接手部４ａから離れた位置に、管接手部４ａの軸方向と直角方向に水を噴霧する噴霧口４ｂが形成されている。また、ノズル４は、図１７及び図１８に示すように、軸方向と所定の角度β（この場合約７５度）で扁平状に水を拡散させるノズル噴霧機構を構成している。したがって、このようなノズル４を使用することにより、室外コイル５に対し斜め上方向から水を噴霧しても、噴霧水は上下方向には拡がらずに水平方向にのみに拡がるように噴霧される。
【０００８】
また、上記従来の第２の方式の室外機の補助冷却装置においては、ノズル４から室外コイル５に噴霧される水の噴霧幅Ｈ（図１８参照）は、給水管３の曲げ角度Ｘａ（図１６参照）と、ノズル４の噴霧口４ｂと室外コイル５との水平距離Ｌ（図１６参照）とから定まってくる。例えば、給水管３の曲げ角度Ｘａを小さくするとノズルの噴霧角度Ｘｂを小さくすることができ、ノズルの噴霧角度Ｘｂが小さくなると噴霧幅Ｈが大きくなる。なお、ノズルの噴霧角度Ｘｂが小さくなると、室外コイル５における噴霧域が下方に移動する。一方、前述の噴霧水量は、水を効率良く使用するために、噴霧された水分が未蒸発のまま室外コイル５の下方に流下して排出されることのないように設定されており、このような噴霧水量となるように電磁開閉弁１５の開放時間が設定されている。なお、電磁開閉弁１５は噴霧された水の全てが蒸発した後に再度開放されて、ノズル４からの噴霧が再開されるのであって、このような開閉を周期的に繰り返しながら噴霧が行われている。したがって、室外コイル５における噴霧域を高くすると室外コイル５の熱交換表面における下端までの距離が大きくなり、蒸発水量が多くなるので、噴霧水量を多くして室外コイル５の放熱能力を大きくすることができる。
【特許文献１】特開２００１−３４９５７８号公報（第４−５頁、図１〜図５）
【非特許文献１】製品カタログ「オーケースカイ  スカイエネカット」、オーケー器材株式会社、ｐ．１１
【発明の開示】
【発明が解決しようとする課題】
【０００９】
上記のような室外機の補助冷却装置は、室外コイル５の放熱効果を最大限に発揮させるために、室外コイル５の幅方向の寸法により、噴霧水の噴霧幅Ｈを調整することが必要である。また、室外コイル５への噴霧幅Ｈを調整するには、少なくとも、ノズルの噴霧角度Ｘｂ（図１６参照）を調整するための給水管３の曲げ角度Ｘａ、又は、ノズル４の噴霧口４ｂと室外コイル５と間の水平距離Ｌを調整できるようにしておく必要がある。
【００１０】
しかしながら、上記従来の第２の方式の室外機の補助冷却装置では、ノズル４の噴霧角度を調整するための、給水管３の曲げ角度Ｘａ、又は、ノズル４の噴霧口４ｂと室外コイル５と間の水平距離Ｌを調節する機能も有していなかった。また、給水管３も必要最小長さに設定されているので、この給水管３を変形させることが困難であった。なお、給水管３を無理やり変形させると、給水管３の曲げ角度Ｘａやノズルの噴霧口４ｂから室外コイル５の外気取入面までの水平距離Ｌを少しは変化させることもできるが、ノズル４が給水管３の先端にロー付け溶接により固定されているだけであるので、微調整が困難であって、実質的には制御部２を取り付けた後には給水管３の曲げ角度Ｘａやノズル４の噴霧口４ｂと室外コイル５との水平距離Ｌを変更することは困難であった。このため、従来の第２の方式の室外機の補助冷却装置は、使用される室外機１の室外コイル５の幅寸法に合わせて噴霧幅Ｈを調整することが困難であった。
【００１１】
また、上記従来の第２の方式の室外機の補助冷却装置では、給水管３を給水管接手１３に固定する際に、スパナで増し締めをすると、スパナの回転力により給水管３が回転するため、外気取入口１ａ側から見たノズル４の噴霧幅Ｈの中心線であるＦ１−Ｆ２線（図１８参照）を鉛直方向に維持することが困難であった。なお、Ｆ１−Ｆ２線が鉛直方向に維持されずに回転して傾斜しているときは、ノズル４の噴霧幅Ｈが室外コイルの中心からずれることになり、噴霧水が室外コイル５の側方に飛び出すことになる。このため、上記従来のものでは、噴霧させながらノズルの噴霧角度Ｘｂを調整することができないという問題があった。
【００１２】
本発明は、このような従来技術の課題に鑑み成されたものであって、ノズルの噴霧角度を調整可能とすることにより、各種サイズの室外機に対する順応性を高めた室外機の補助冷却装置を提供することにある。
【課題を解決するための手段】
【００１３】
上記課題を解決するため、本発明に係る室外機の補助冷却装置は、室外コイルの外気取入口に水を噴霧するノズルと、ノズルへ噴霧水を供給する水系統機器及びノズルへの噴霧水量を制御する制御装置を収納した制御部と、制御部に一端が接続された、ノズルへ噴霧水を供給する給水管と、給水管の先端に接続された、ノズルを取り付けたノズル接手と、室外コイルの外気取入面に対するノズルの噴霧角度を調整可能とするように、ノズル接手の傾斜角度を調整可能に支持する支持装置とを備えていることを特徴とする。
【００１４】
このように、本発明によれば、ノズルは、支持装置に取り付けられたノズル接手に固定されているので、支持装置の取付位置や向きを変更することにより、ノズルの噴霧口の高さや位置を最適値に安定して設定することができる。また、支持装置におけるノズル接手の傾斜角度を調整することにより、室外コイルの外気取入面に対するノズルの噴霧角度を調整することができるので、ノズルの噴霧幅を室外コイルの幅寸法に合わせて調整することができ、各種サイズの室外機への順応性を向上することができる。また、ノズルは、支持装置に固定されているため、給水管の取り付け時の増し締めにより給水管が回転して、外気取入口側から見たノズルの噴霧幅の中心線が鉛直方向からずれるようなことがなくなる。これにより、噴霧水が室外コイルの側方に飛び出す恐れがなくなる。したがって、水を噴霧させてノズルの噴霧幅を調整しながらノズルを取り付けることができる。
【００１５】
また、本発明において、前記ノズル接手を、一端部にノズル接続口を有するとともに、他端部に軸孔を備えた軸受部を有するものとし、また、前記支持装置を、室外機の外板への取付面を形成した取付座と、ノズル接手の軸受部を挟持するように取付座から起立して形成された一対の板状挟持部と、ノズル接手の前記他端部を板状挟持部で挟持した状態において軸孔と同心となるように、一対の板状挟持部にそれぞれ設けられた軸支持孔とを有する構成とし、さらに、軸孔及び軸支持孔にボルトを挿入してナットで締め付けることにより、ノズル接手を所望の傾斜角度で一対の板状挟持部間に固定する固定具とを備えるようにしてもよい。このように構成すれば、ナットを緩めることによりノズル接手の傾斜角度を変更できる。また、ノズル接手の傾斜角度を変更した状態でナットを締め付けると板状挟持部を変形させて摩擦力によりノズル接手を維持するので、変更した傾斜角度を維持することにより、ノズルの噴霧角度を所定値に保持できる簡便な構成とすることができる。
【００１６】
また、本発明において、前記支持装置は、取付座に、ボルトの軸方向に直交する方向に当該支持装置を室外機の外板に取り付けるための複数の取付用孔が整列して配置されたものとしてもよい。このように構成すれば、複数の取付用孔の何れかの孔を選択的に使用することにより、ノズル噴霧口の位置を取付用孔の整列方向に調整することができる。
【００１７】
また、本発明において、前記ノズル接手の軸受部は、前記一対の板状挟持部に当接する面を平面に形成したものとするのが好ましい。このようにすれば、板状挟持部による締め付け力が大きくなり、ノズルを安定的に固定することができる。
【００１８】
また、本発明において、前記支持装置を、板金折り曲げ加工により形成されたものとすることもできる。すなわち、取付座の両端部を直角に折り曲げることにより前記一対の板状挟持部を形成するように構成すれば、安価な支持装置を構成することができる。
【００１９】
また、本発明において、前記一対の板状挟持部に形成する軸支持孔を、前記取付座の一端部の略垂直方向に位置するように形成すれば、ノズル接手が取付座に当るまでのノズル接手の傾斜角度を大きくすることができるので、ノズル接手の傾斜角度の変更範囲を大きくすることができる。
【００２０】
また、本発明において、前記ノズルは、一端部にノズル接手に接続される管接手部を有し、この管接手部から離れた位置に管接手部の接手方向と直交する方向に噴霧口を有するようにするとともに、前記ノズル接手は、前記軸受部とノズル接続口との間において、前記軸受部の軸孔に平行に給水管接続用接手を設けるようにしてもよい。このように構成すれば、ノズル接手と制御部とをそれぞれ現地の都合に合わせて室外機の最適位置に設置し、この設置状態に合わせて給水管を現場で施工するようにすることができるので、ノズルの噴霧角度を容易に最適値にすることができる。また、給水管接手が軸孔とノズル接続口との間に配置されているので、ノズル接手の傾斜角度を変更する機構の軸を成すボルトと給水管接続用接手とが同一軸方向で近くに配置されることになる。このため、ノズルを設置した後にノズルの噴霧角度を変更する必要が生じたような場合には、ノズル接手の傾斜角度を変更するとしても給水管を大きく変形する必要がない。したがって、給水管を大きく変形させることなくノズル接手の傾斜角度を調整することができる。
【００２１】
また、本発明において、ノズル接手及び前記支持装置は、ノズル接手を所望の傾斜角度で一対の板状挟持部間に固定する際に、噴霧口が取付座の方向に向くように或いは反対方向に向くように選択的に取り付けできるように構成してもよい。このように構成すれば、ノズルの噴霧口の向きを変えて取り付けることにより、ノズルの噴霧口から室外コイルの外気取入面までの水平距離やノズルの噴霧口の高さ位置を調整することができる。したがって、各種サイズの室外機への順応性が増大する。
【００２２】
また、本発明において、扁平状に水を拡散させて噴霧するノズル機構を備えたノズルを用いるようにすれば、ノズルの噴霧角度を調整してノズルの噴射範囲を室外コイルの幅寸法に合わせた場合に、高さ方向の噴霧範囲が変わらないので、噴霧量の調整が容易である。
【００２３】
また、本発明において、前記ノズル接手及び前記支持装置は、ノズル接手を所望の傾斜角度で一対の板状挟持部間に固定する際に、噴霧口が取付座の方向に向くように或いは反対方向に向くように選択的に取り付けできるように構成してもよい。このように構成すれば、噴霧口４ｂから室外コイルの外気取入面までの水平距離及びノズル噴霧角度の設定に多様性を持たせることができるので、最適な状態での噴霧を行い易くなる。
【００２４】
また、本発明において、制御部に収納する水系統機器として減圧弁を設置してもよい。このようにすれば、ノズル入口側の水圧が一定になり、噴霧水の幅が一定化されるので、安定した冷却性能を発揮することができる。
【発明の効果】
【００２５】
本発明によれば、室外コイルの外気取入面に対するノズルの噴霧角度を調整可能としたノズル接手を支持する支持装置を備えているので、ノズル接手の傾斜角度の調整によりノズルの噴霧角度を調整することができる。この結果、ノズルの噴霧幅を室外コイルの幅寸法に合わせて調整することができ、各種サイズの室外機への順応性を拡大することができる。
【発明を実施するための最良の形態】
【００２６】
本発明を具体化した実施の形態に係る室外機の補助冷却装置について、以下図面に基づいて説明する。なお、本発明の説明に用いる図面において、前記従来例における構成要素と同一又は相当する構成要素には同一の符号を付し、その説明を簡略化する。
【００２７】
本実施の形態に係る室外機の補助冷却装置の全体構成は図１に示されている。この図１に示すように、本室外機の補助冷却装置は、室外機１の天板上に取り付けられる制御部２を有し、この制御部２に接続される銅管からなる給水管３が外気取入口１ａの上方部まで延ばされ、その先端部がノズル接手６の給水管接続用接手６６に接続されている。このノズル接手６は、室外機１の外気取入口１ａの上方側面に固定された支持装置７により軸線が水平線と成す傾斜角度Ｙａが調整可能に支持されている。また、ノズル４がノズル接手６のノズル接続口６１に取り付けられている。なお、図１においてＭーＮ方向の矢印はノズル接手６の傾斜角度Ｙａの調整方向を示すものである。また、他の図面におけるＭーＮ方向の矢印も同様の意味である。
【００２８】
図２は本実施の形態の室外機の補助冷却装置に係る制御部の構成図である。この図に示すように、制御部２は、略長方形状のボックス１１の側面に水道管を接続するための水道管接手１２と、銅管からなる給水管３を接続するための給水管接手１３が取り付けられている。また、制御部２のボックス１１内には、水道管接手１２と給水管接手１３との間に接続されるストレーナ１４、電磁開閉弁１５及び減圧弁１６の水系統機器と、電磁開閉弁１５の開閉時間を制御する制御装置２０とが収納されている。減圧弁１６は出口側の水圧が一定になるように圧力降下量を調節する制御弁であり、この減圧弁１６を接続しておくことにより、水道水の圧力変化が通常範囲程度であれば、ノズル４の入口側圧力を一定に保持することができる。また、電磁開閉弁１５は、開放時間を制御することにより、ノズル４からの水噴霧時間、惹いては室外コイル５への噴霧水量を制御している。例えば、室外コイル５の高さが大きくなるほど，また外気温度が高くなるほど、噴霧水が室外コイル５の下方に落下するまでに蒸発する水量が増加する、したがって、室外コイル５の高さ寸法が大きくなるほど、また、外気温度が高くなるほど噴霧水量が多くなるように制御されている。制御部２は、以上のように構成されており、減圧弁１６を備えている点で従来のものと相違する。
【００２９】
給水管３は、銅管製であり、一端が制御部２の給水管接手１３に取り付けられ、他端がノズル接手６の給水管接続用接手６６に接続されている。この給水管３は、従来のように予め形状が定められたものでもなく、ノズル４を先端に接続したものでもない。また、給水管３は、両端とも接手を使って接続されるように設定されている。一方、ノズル接手６の位置は現地の条件に合わせて変更することができる。このため、給水管３は、現地施工時に形状を決めて現地施工されることを前提としている。
【００３０】
ノズル４は、従来例として示した図１６及び図１７に記載のものと同一であって、一端に管接手部４ａを有し、管接手部４ａから離れた位置に管接手部４ａの軸方向と所定の角度β（この場合約７５度）を成す方向に水を噴霧する噴霧口４ｂを備えている。また、ノズル４の噴霧口４ｂは、図１に示すように水を扁平状に噴霧するようにズル噴霧機構を構成している。そして、ノズル４は、同図に示すように、室外機１の外気取入口１ａの前方上部から室外コイル５に向けて斜め下方に水を噴霧するように構成されている。また、ノズル４の噴霧範囲Ｓは図３に示すように扇型の外周部に拡散される。なお、図３は、本実施の形態に係る室外機の外気取入口側から見た側面図である。また、噴霧幅Ｈは、ノズル接手６の軸線と水平面とのなす角度Ｙａ（図１参照）及びノズル４の噴霧口４ｂから室外コイル５の外気取入面までの水平距離Ｌ（図１参照）を調節することにより変更することができる。例えば、室外コイル５の外気取入面までの水平距離Ｌを大きくすると、噴霧幅Ｈが大きくなる。また、ノズル接手６の軸線と水平面とのなす傾斜角度Ｙａを小さくすると、ノズルの噴霧角度Ｘｂが小さくなり、噴霧口４ｂから室外コイルの外気取入口面までの距離が大きくなり、噴霧範囲Ｈを大きくすることができる。また、ノズル４の位置が高くなるように設置すると、室外コイル５への噴霧位置が高くなって、噴霧水が室外コイルの下方に落下するまでの距離が大きくなるので、蒸発水量を多くすることができ、噴霧水量を多くして室外コイル５の放熱能力を多くすることができる。
【００３１】
次に、ノズル接手６及び支持装置７の詳細を図４〜図７に基づき説明する。なお、図４は本実施の形態に係る室外機の補助冷却装置におけるノズル、ノズル接手及び支持装置を組み立てた組立品の側面図である。また、図５は図４におけるＡ矢視図である。また、図６は同組立品におけるノズル接手の部品図であって、（ａ）は側面図、（ｂ）は（ａ）におけるＢ矢視図である。また、図７は同組立品における支持台の部品図であって、（ａ）は側面図、（ｂ）は（ａ）におけるＣ１矢視図であり、（ｃ）は（ａ）におけるＣ２矢視図である。
【００３２】
これら図面に示すように、ノズル接手６は、一端部にノズル接続口６１を有し、他端部に軸孔６２を備えた軸受部６３を備えている。軸受部６３は、対向する二つの平面６４を有し、この二つの平面６４間を貫通するように軸孔６２が形成されている。また、軸受部６３とノズル接続口６１との間には、軸孔６２に平行に給水管接続口６５が設けられ、この給水管接続口６５に給水管接続用接手６６が設けられている。なお、軸受部６３は、ノズル接手６の角度変更機構の軸受部を成している。
【００３３】
支持装置７は、支持台７１と固定具７２の二つの要素から構成されている。支持台７１は、室外機１の外板への取付面を形成した取付座７３と、ノズル接手６の軸受部６３を挟持するように取付座７３から起立して形成された一対の板状挟持部７４とを備えている。また、一対の板状挟持部７４それぞれには、ノズル接手６の軸受部６３を一対の板状挟持部７４で挟持した状態において軸孔６２と同心となるように軸支持孔７５が設けられている。また、支持台７１は、板金加工により製作されている。すなわち、取付座７３の両端部を直角に折り曲げることにより一対の板状挟持部７４が形成されている。また、折り曲げ前の板取りを工夫することにより、板状挟持部７４が取付座７３の一端部から外方向（図４及び図７（ａ）における左方向）にはみ出す形状とすることにより、軸支持孔７５を取付座７３の一端部の略垂直方向に位置するように形成している。また、取付座７３には、支持装置７を室外機１の外板に取り付けるための複数（この場合３個）の取付用孔７６が後記するボルト７７の軸方向に直交する方向（取付座７３の長手方向）に整列して配置されている。
【００３４】
一方、固定具７２は、ノズル接手６の軸受部６３を一対の板状挟持部７４で挟持して任意の傾斜角度で固定するためのものである。より具体的には、固定具７２は、軸受部６３を一対の板状挟持部７４で挟持した状態で、軸孔６２及び軸支持孔７５に挿入するボルト７７、ボルト７７の、板状挟持部７４から突出する先端部に締結するナット７８、ボルト７７及びナット７８と板状挟持部７４との間に介在させるワッシャー７９から構成されるものであって、ナット７８を螺合して締め付けることにより、一対の板状挟持部７４が変形して相互に引き寄せられ、摩擦力により軸受部６３を一対の板状挟持部７４間に固定するものである。
【００３５】
支持装置７は、上記のように構成されているので、図４に示すようにノズル接手６をボルト７７を軸として取付座７３と平行に位置させた状態から時計回りに一定の角度範囲α１及び反時計回りに一定の角度範囲α２回転させた状態にすることができる。この場合において、軸支持孔７５が取付座７３の一端部の略垂直方向に位置するように形成されているので、ノズル接手６が取付座７３に当接するまでの傾斜角度が大きくなり、反時計回りの一定の角度範囲α２を大きくすることができる。また、支持台７１における取付座７３には、複数の取付用孔７６が整列して配置されているので、支持台７１の取付を取付座７３の長手方向にずらせて取り付けることができる。なお、図４及び図５における符号８０は支持台７１の取付ねじである。
【００３６】
また、ノズル接手６は、支持台７１に対しボルトで固定されているので、ノズル４の噴霧口４ｂの向きが１８０度反転するように、向きを変えて取り付けることができる。したがって、ノズル接手６を所望の傾斜角度で一対の板状挟持部７４間に固定する際に、噴霧口４ｂが取付座７３の方向に向くように或いは反対方向に向くように選択的に取り付けできる。例えば、図１、図４及び図８の取付は、ノズル４を支持台７１の取付座７３に接近するように折り返した位置（図４におけるα１の位置）まで回転させると、噴霧口４ｂが取付座７３の反対側を向いている状態であり、図９の取付は噴霧口４ｂが取付座７３側を向く状態である。
【００３７】
また、このようにノズル接手６の向きを変えたり、支持台７１の取付位置や方向を変えると、噴霧口４ｂから室外コイル５の外気取入面までの水平距離Ｌを大小変化させるとともにノズル４の設置高さを変更することができる。図１は、板状挟持部７４が取付座７３の下方となるように外気取入口１ａの上方に取り付けているものである。これに対し、図８のように、ノズル接手６の向きを同一とするとともに、板状挟持部７４が取付座７３の外気取入口１ａ側となるように支持台７１を天板上に取り付けると、噴霧口４ｂから室外コイル５の外気取入面までの水平距離Ｌが小さくなるが、噴霧口４ｂの位置は図１の場合より高くすることができる。この例は、室外機１の外気取入口の前方に十分なスペースがない場合において、支持装置７の取付位置を調整することにより、できるだけ室外コイル５の幅に合わせた大きな噴霧幅Ｈを得るようにすることができる。また、図９のように、ノズル接手６の向きを逆にするとともに板状挟持部７４が取付座７３の上方となるように外気取入口１ａの上方部に取り付けると、噴霧口４ｂから室外コイル５の外気取入面までの水平距離Ｌが大きくなるとともに、ノズル４の噴霧口４ｂの高さ位置も高くすることができる。したがって、この例は噴霧幅を大きくするのに適している。
【００３８】
本実施の形態に係る室外機の補助冷却装置は以上のように構成されているので、次のような効果を奏することができる。
（１）  支持装置７に固定されたノズル接手６にノズル４が取り付けられているので、支持装置７の取付位置や向きを変更することにより、ノズル４の噴霧口４ｂの高さや位置を最適値に設定することができる。また、支持装置７におけるノズル接手６の傾斜角度Ｙａを調整することにより、室外コイル５の外気取入面に対するノズル４の噴霧角度Ｘｂを調整することができるので、ノズル４の噴霧幅Ｈを室外コイル５の幅寸法に合わせて調整することができ、各種サイズの室外機１への順応性を拡大することができる。また、ノズル４は、ノズル接手６を介して支持装置７に固定されているため、給水管３の取り付け時の増し締めにより給水管３が回転することがなく、外気取入口側から見たノズル４の噴霧口４ｂの中心線が鉛直方向からずれるようなことがなくなる。これにより、噴霧水が室外コイル５の側方に飛び出す恐れがなくなる。したがって、水を噴霧させてノズル４の噴霧幅Ｈを調整しながらノズル４を取り付けることができる。
【００３９】
（２）  支持装置７において、ノズル接手６の傾斜角度を変更した状態でナット７８を締め付けると、板状挟持部７４を変形させ、摩擦力によりノズル接手６を固定することができる。したがって、ノズル接手６を任意の傾斜角度で維持することができ、ノズル接手６を所定傾斜角度に保持する簡便な構成とすることができる。
【００４０】
（３）  支持装置７の取付座７３に、ボルト７７の軸方向に直交する方向に支持装置７を室外機１の外板に取り付けるための複数の取付用孔７６が整列して配置されているので、複数の取付用孔７６の何れかの孔を選択的に使用することにより、ノズル４の位置を取付用孔７６の整列方向に調整することができる。
【００４１】
（４）  ノズル接手６の軸受部６３において、一対の板状挟持部７４に当接する面が平面に形成されているので、板状挟持部７４による締め付け力が大きくなり、ノズル４を安定的に固定することができる。
【００４２】
（５）  支持装置７において、取付座７３の両側部を直角に折り曲げて一対の板状挟持部７４を形成することにより、支持台７１を板金折り曲げ加工しているので、支持装置７を簡易に製作することができる。
【００４３】
（６）  一対の板状挟持部７４に設ける軸支持孔７５を、取付座７３の一端部の略垂直方向に位置するように形成しているので、ノズル接手６の傾斜角度変更範囲を大きくすることができる。
【００４４】
（７）  ノズル接手６を支持装置７により傾斜角度調整可能に取り付けるとともに、ノズル接手６には、軸受部６３とノズル接続口６１との間に、軸孔６２に平行に給水管接続用接手６６を設けているので、給水管３を現地工事とすることにより、ノズル接手６と制御部２とをそれぞれ現地の都合に合わせて最適位置に設置することができる。また、この設置状態に合わせて給水管を現場で施工する場合に、容易にノズル接手６の傾斜角度Ｙａを最適値にすることができる。また、給水管接続用接手６６が軸受部６３とノズル接続口６１との間に配置されるので、ノズル接手６の角度変更機構の軸を成すボルト７７と給水管接続用接手６６とが同一軸方向で近くに配置されることになり、給水管３を大きく変形させることなくノズル接手６を角度調整することができる。
【００４５】
（８）  扁平状に水を拡散させて噴霧するノズル４を用いているので、ノズル４の噴霧角度を調整してノズル４の噴射範囲を室外コイル５の幅寸法に合わせた場合に、高さ方向の噴霧範囲に変更がない。したがって、噴霧量の調整が容易である。
【００４６】
（９）  ノズル接手６は、支持装置７により所望の傾斜角度Ｙａで固定することができるとともに、ノズル４の噴霧口４ｂが取付座７３の方向に向くように或いは反対方向に向くように選択的に取り付けることができるように構成されているので、ノズル４の噴霧口４ｂの向きを変えて取り付けることにより、ノズル４の噴霧口４ｂから室外コイル５の外気吸入面までの水平距離Ｌ及びノズル４の噴霧口４ｂの高さ位置を調整することができる。したがって、各種室外機１への適応性が増大する。
【００４７】
（１０）  制御部２に収納する水系統機器として減圧弁１６を設置しているので、ノズル入口側の水圧が一定になり、噴霧水の幅Ｈが一定化されるので、安定した冷却性能を発揮することができる。
【００４８】
以上の実施の形態では、室外機１に対しノズル４を１個使用する例を掲げていたが、大型の室外機１では図１０及び図１１に示すように、ノズル４を２個使用するようにしてもよい。図１０〜図１２はこのような例を示したものである。なお、図１０は本実施の形態に係る室外機の補助冷却装置の他の使用例を示すものであって、室外機の側面図である。また、図１１は同室外機の外気取入口側からの側面図であり、図１２は同室外機の補助冷却装置に用いられている制御部２の構成図である。この使用例における室外機１は、側面を外気取入口１ａとし、排気ファンとしての軸流ファンが上方に向けて排気するように天板部に設けられている。因みに、図１の室外機１における排気口は外気取入口１ａの反対側の面に設けられている。また、この室外機１では排気が上方から行われることに伴い、制御部２を外気取入口１ａの上方部に設けている。また、制御部２は図１１及び図１２に示すように、減圧弁１６通過後の配管を分岐し、それぞれに給水管接手１３を設けている。そして、各給水管接手１３に対し、図１のものと同様に給水管３、支持装置７に角度調整可能に取り付けられたノズル接手６、ノズル接手６に接続されたノズル４が設けられている。
【００４９】
また、上記説明の室外機１では、室外コイル５が垂直に配置されているが、室外コイル５としてはこのように垂直に配置されたものに限らず斜めに配置されているものでもよい。また、上記説明の室外機で１は外気取入口１ａが一側面のみに設けられていたが、これに限られるものではなく、複数面、例えば２面に設けられているようなものでもよい。このような例を図１３及び図１４に示す。図１３は本実施の形態に係る室外機の補助冷却装置の更なる別の使用例を示す室外機の側面図であり、図１４は同室外機の外気取入口側から見た側面図である。これら図に示す例では、室外コイル５がＶ字型に配置され、外気取入口１ａが各室外コイル５に対向して２面に設けられている。また、各外気取入口１ａにノズル４が配置されている。また、この室外機１は大型であって、図１４に示すように外気取入口１ａの幅寸法が相当に大きくなるので、各外気取入口１ａにおいてノズル４が２個使用されている。また、排気ファンとしての軸流ファンが上方に向けて排気するように天板部に２個設けられている。なお、この図面には制御部２の構成を省略しているが、制御部２の構成は、図１２のように給水管接手１３をノズル４の数に合わせて４個として１個にすることもできるし、各外気取入口１ａ用に給水管接手１３を２個取り付けた制御部２を２個使用するようにしてもよい。また、制御部２の取り付け位置も図示されていないが、図１１の例のように何れか一方の外気取入口１ａ又は両方の外気取入口１ａの上方部に取り付ければよい。
【図面の簡単な説明】
【００５０】
【図１】本発明の実施の形態に係る室外機の補助冷却装置の全体構成図である。
【図２】同室外機の補助冷却装置における制御部の構成図である。
【図３】同実施の形態に係る室外機の外気取入口側から見た側面図である。
【図４】同実施の形態に係る室外機の補助冷却装置におけるノズル、ノズル接手及び支持装置を組み立てた組立品の側面図である。
【図５】図４におけるＡ矢視図である。
【図６】同組立品におけるノズル接手の部品図であって、（ａ）は側面図、（ｂ）は（ａ）におけるＢ矢視図である。
【図７】同組立品における支持台の部品図であって、（ａ）は側面図、（ｂ）は（ａ）におけるＣ１矢視図であり、（ｃ）は（ａ）におけるＣ２矢視図である。
【図８】同組立品の取り付け状態の他の例を示す図である。
【図９】同組立品の取り付け状態の更なる他の例を示す図である。
【図１０】同実施の形態に係る室外機の補助冷却装置の他の使用例を示すものである。
【図１１】同使用例における室外機の外気取入口側からの側面図である。
【図１２】同室外機の補助冷却装置に用いられている制御部の構成図である。
【図１３】同実施の形態に係る室外機の補助冷却装置の更なる他の使用例を示すものである。
【図１４】同室外機の外気取入口側から見た側面図である。
【図１５】従来第２方式の室外機の補助冷却装置を取り付けた室外機の斜視図である。
【図１６】同室外機の要部側面図である。
【図１７】同補助冷却装置に用いられているノズルによる噴霧状態を説明する断面図である。
【図１８】同ノズルの先端側から見た噴霧幅説明図である。
【図１９】同補助冷却装置に用いられている制御部の構成図である
【符号の説明】
【００５１】
１  室外機
１ａ  外気取入口
２  制御部
３  給水管
４  ノズル
４ａ  管接手部
４ｂ  噴霧口
５  室外コイル
６  ノズル接手
７  支持装置
１３  給水管接手
１６  減圧弁
２０  制御装置
６１  ノズル接続口
６２  軸孔
６３  軸受部
６４  平面
６５  給水管接続口
６６  給水管接続用接手
７１  支持台
７２  固定具
７３  取付座
７４  板状挟持部
７５  軸支持孔
７６  取付用孔
７７  ボルト
７８  ナット
Ｈ  噴霧幅
Ｘｂ  噴霧角度
【図１】
2006162152.tif 000003
【図２】
2006162152.tif 000004
【図３】
2006162152.tif 000005
【図４】
2006162152.tif 000006
【図５】
2006162152.tif 000007
【図６】
2006162152.tif 000008
【図７】
2006162152.tif 000009
【図８】
2006162152.tif 000010
【図９】
2006162152.tif 000011
【図１０】
2006162152.tif 000012
【図１１】
2006162152.tif 000013
【図１２】
2006162152.tif 000014
【図１３】
2006162152.tif 000015
【図１４】
2006162152.tif 000016
【図１５】
2006162152.tif 000017
【図１６】
2006162152.tif 000018
【図１７】
2006162152.tif 000019
【図１８】
2006162152.tif 000020
【図１９】
2006162152.tif 000021